(57)【要約】【課題】スイーベル機構を構成する可動部に侵入を防止する部材を備えたディスプレイ装置を提供する。【解決手段】上板部７０１、側板部７０２及び底板部７０３からなる保護片７０４が側板部の連結部によって複数個連結された一枚の可撓性シートを、上板部７０１、側板部７０２、底板部７０３の境界部及び側板部の連結部で折曲されることにより環状に形成されてなる侵入防止部材７００が設けられる。支柱５００の上端部にディスプレイ本体１０３載置用の回動部材３００が回動自在に設けられる。回動部材３００にはストッパ３１０が設けられており、支柱５００の上端部に設けられた回動規制片５１０の回動規制端５１３に当接することにより回動規制される。そして、この侵入防止部材７００は、ストッパ及び回動規制端を含む可動部と支柱の一部を囲繞するとともにディスプレイ本体の下端部に弾性的に当接するように配備される。【選択図】図１４
2014224842.tif 000002
【特許請求の範囲】
【請求項１】
保護片が複数個連結された一枚の可撓性シートを折曲して環状に形成されてなる侵入防止部材と、
前記侵入防止部材の両端と係合する係合部が設けられるとともに回動規制端が設けられた回動規制片とが上端部に設けられた支柱と、
前記支柱の上端部に回動自在に配備されるとともに前記回動規制端に当接することによって回動範囲を規制するストッパが設けられたディスプレイ本体載置用の回動部材とを備え、
前記侵入防止部材は前記ストッパ及び回動規制端を含む可動部と支柱の一部を囲繞するとともに前記ディスプレイ本体の下端部に弾性的に当接するように配備されてなるディスプレイ装置。
【請求項２】
前記侵入防止部材は前記ディスプレイ本体の下端部に弾性的に当接することにより下方に撓むようになっていることを特徴とする請求項１に記載のディスプレイ装置。
【請求項３】
前記保護片は上板部、側板部及び底板部からなり、各保護片が前記側板部の連結部によって連結されており、前記上板部、側板部、底板部の境界部及び側板部の連結部で折曲されることにより侵入防止部材が環状に形成されることを特徴とする請求項１に記載のディスプレイ装置。
【発明の詳細な説明】
【技術分野】
【０００１】
本開示は、スイーベル機構を備えたディスプレイ装置に適用可能な可動部侵入防止部材を備えたディスプレイ装置に関する。
【背景技術】
【０００２】
特許文献１は、可動部の正常な回転動作が行われない場合に、自動で回転動作を停止させる回動装置、さらには、このような回動装置を具える映像表示装置を開示する。
【０００３】
回動装置は、固定部に回動自在に装着された可動部を備えており、可動部は、固定部に対して第１位置と第２位置の間で回動可能になっている。また、可動部は第１位置、第２位置、又は第１位置と第２位置の間に設定された基準位置に可動部が配置された状態を検出する検出手段を具えている。可動部の回転動作中に、検出手段が、所定の時間内に、可動部がこれらの位置の何れか一つに配置された状態を検出しない場合には、可動部の回転動作を自動停止する。
【先行技術文献】
【特許文献】
【０００４】
【特許文献１】特開２００５−１０９６２６号公報
【発明の概要】
【発明が解決しようとする課題】
【０００５】
本開示は、スイーベル機構を備えたディスプレイ装置に適した可動部侵入防止構造を提供する。
【課題を解決するための手段】
【０００６】
本開示におけるディスプレイ装置では、保護片が複数個連結された一枚の可撓性シートを折曲して環状に形成されてなる侵入防止部材が設けられる。支柱の上端部にはディスプレイ本体載置用の回動部材が回動自在に配備される。回動部材には支柱の上端部に設けられた回動規制片の回動規制端に当接することによって回動部材の回動範囲を規制するストッパが設けられる。侵入防止部材はストッパ及び回動規制端を含む可動部と支柱の一部を囲繞するとともにディスプレイ本体の下端部に弾性的に当接するように配備される。
【発明の効果】
【０００７】
本開示におけるディスプレイ装置は、一枚の可撓性シートからなる侵入防止部材がディスプレイ本体の下端部に弾性的に当接するようになっている。従って、その当接部分近辺が下方に撓み、侵入防止部材の全体が下方に押し下げられることがないので、可動部分を臨むような大きな間隙が生じず、外部から可動部への侵入を好適に防止し得る。
【０００８】
また、侵入防止部材は、当接部分で撓むことによりディスプレイ本体の外形が多少異なっていても対応が可能になる。更に、可撓性の材料からなる部材がディスプレイ本体に回動動作の妨げにならないような圧力でディスプレイ本体の下端に弾性的に当接するようにしているので、ディスプレイ本体の回動動作が重くなることなく回動動作に支障を来たすことがない。
【図面の簡単な説明】
【０００９】
【図１】実施の形態１におけるディスプレイ装置を前方から見た斜視図
【図２】実施の形態１におけるディスプレイ装置を後方から見た斜視図
【図３】実施の形態１におけるディスプレイ装置の可動部を示す斜視図
【図４】実施の形態１におけるディスプレイ装置の可動部と基台を示す斜視図
【図５】実施の形態１におけるディスプレイ装置の可動部の分解斜視図
【図６】実施の形態１におけるディスプレイ装置の可動部の上面図
【図７】実施の形態１におけるディスプレイ装置の可動部の断面図
【図８】実施の形態１におけるディスプレイ装置の可動部と載置台を示す図
【図９】実施の形態１におけるディスプレイ装置に侵入防止部材を施した状態の拡大図
【図１０】実施の形態１におけるディスプレイ装置の可動部の状態を示す図
【図１１】図１０の要部拡大図
【図１２】実施の形態１におけるディスプレイ装置の可動部の他の状態を示す図
【図１３】図１２の要部拡大図
【図１４】実施の形態１におけるディスプレイ装置に侵入防止部材を施した状態の図
【図１５】図１４の要部拡大図
【図１６】実施の形態１で使用される侵入防止部材の展開図
【図１７】実施の形態１で使用される侵入防止部材の組み立て状態を示す斜視図
【図１８】実施の形態１におけるディスプレイ装置の正面図
【図１９】図１８のＤ−Ｄ線で側面から見た図
【図２０】図１９の要部拡大図
【発明を実施するための形態】
【００１０】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１１】
なお、発明者は、当業者が本開示を十分に理解するために添付図面および以下の説明を提供するのであって、これらによって特許請求の範囲に記載の主題を限定することを意図するものではない。
【００１２】
（実施の形態１）
以下、図１〜図２０を用いて、実施の形態１を説明する。
【００１３】
図１は実施の形態１におけるディスプレイ装置を前方から見た斜視図、図２は同装置を後方から見た図、図３は同装置の可動部を示す斜視図、図４は同装置の可動部と載置台を示す斜視図、図５は同装置の可動部の分解斜視図である。
【００１４】
ディスプレイ装置１００は、パネル部１０１とテレビジョン信号受信回路が内部に設けられた受信部１０２とからなるディスプレイ本体１０３を備える。
【００１５】
ディスプレイ本体１０３は、ディスプレイ本体載置用の載置台２００上に載置され、ネジ等の固定手段によって載置台２００に固定される。
【００１６】
載置台２００は図８に示すように略円盤形状の回動部材３００とネジ２０１によって結合されている。回動部材３００は図５、図６、図７で図示されるように支柱５００の上端部にネジ３０１によって回動自在に設けられる。図７は図６のＡ−Ａ線断面図であり、図６のＢ−Ｂ線は図７のＣ−Ｃ線とともにネジ３０１の配置位置を示している。
【００１７】
第１ワッシャ３０２、第２ワッシャ３０３は、回動部材３００と支柱５００との間に介在され、回動部材３００を円滑にするための低摩擦性の合成樹脂性の板体から構成される。第３ワッシャ３０４、第４ワッシャ３０５はネジ３０１が挿通され、支柱５００の上端端部５０１で、ネジ３０１が締め付けられる。従って、回動部材３００は可動部としてネジ３０１の中心軸を中心として支柱５００の上端で回動自在に配備される。
【００１８】
図４に示されるように、支柱５００は合成樹脂製の飾り部材６００の筒部６０１に嵌め込まれるとともに支柱５００の下端部は、飾り部材６００が被される金属製基台４００にネジ等の固定手段によって固定される。
【００１９】
支柱５００の上端部には侵入防止部材７００の両端と係合する係合部としてネジ５１１が螺合されるネジ孔５１２が設けられるとともに回動規制端５１３が設けられた回動規制片５１０が設けられている。
【００２０】
図１０及び図１１に記載されているように、回動部材３００にはストッパ３１０が取り付けられており、この場合のようにディスプレイ本体１０３が正面を向いている状態では、ストッパ３１０は回動規制片５１０の回動規制端５１３から離間している。
【００２１】
この状態からディスプレイ本体１０３を回動させたとき、図１２及び図１３に示すようにストッパ３１０が回動規制片５１０の回動規制端５１３に当接することにより、ディスプレイ本体１０３がこれ以上回転しないように規制される。
【００２２】
このように回動部材３００を支柱５００の上端部に回動自在に配備することによってスイーベル機構が構成されるが、ディスプレイ本体１０３を回転させるとき、不用意に回転させるとストッパ３１０と回動規制端５１３との間に物が挟まれる虞がある。特に、手指が挟まることも考えられるのでその対策が必要である。
【００２３】
このため、本実施の形態では図１４や図１５に詳細に示すように回動部材３００、ストッパ３１０及び回動規制端５１３を含む可動部と支柱５００の上端部の一部を囲繞する侵入防止部材７００が取り付けられる。
【００２４】
侵入防止部材７００は、一枚の可撓性のシート、例えば、ポリカーボネイト等の合成樹脂材料からなる薄板状の樹脂シートが使用される。このシートが図１６の実線形状で切り抜かれることにより形成される。図１６のように切り抜かれたシートは、二点鎖線で折り曲げ形成され、図１７のように環状に組立てられる。
【００２５】
すなわち、この侵入防止部材７００は、上板部７０１、側板部７０２及び底板部７０３からなる保護片７０４が前記側板部によって複数個連結された一枚の可撓性シートを前記上板部、側板部、底板部の境界線及び側板部の連結部で折り曲げられる。そして、侵入防止部材７００は、係合孔７０６がそれぞれ設けられた両端の結合部７０５を係合孔が重なり合うようにして、回動部材の可動部と支柱の上端部を囲繞するように環状に成形して配備され、図９のようにネジ５１１を係合孔７０６に挿通して螺合固定する。これによって、侵入防止部材７００が取り付けられる。
【００２６】
このようにして侵入防止部材７００が取り付けられた状態では、図１８のＤ−Ｄ線方向から見た図１９及び図２０に模式的に示されるように、侵入防止部材７００の一部（図１２では非係合端側）はディスプレイ本体の下端部に弾性的の当接し下方に撓んでいる。すなわち、侵入防止部材７００は、ディスプレイ本体１０３の下端部１０４に当接した近辺が下方に撓むようになっており、全体的に押し下げられるようなことがない。尚、図１９、図２０において、二点鎖線は撓む前の侵入防止部材７００の形状を示している。
【００２７】
従って、侵入防止部材７００がディスプレイ本体１０３の下端部に当接しても、可動部に対して手指の侵入を許すような隙間を生じさせるようなことがない。
【００２８】
ディスプレイ本体１０３が回動させられた場合、その回動に応じて侵入防止部材７００とディスプレイ本体１０３との当接位置が変化するが、常にディスプレイ本体１０３の下端部に弾性的に当接した部分近傍のみ撓むようになっているので、この場合においても可動部に対して手指の侵入を許すような隙間を生じさせるようなことがない。
【００２９】
以上のように、本実施の形態においては、一枚の可撓性シートからなる侵入防止部材がディスプレイ本体の下端部に弾性的に当接するようになっている。従って、その当接部分近辺が下方に撓み、侵入防止部材の全体が下方に押し下げられることがないので、可動部分を臨むような大きな間隙が生じず、外部から可動部への侵入を好適に防止し得る。
【００３０】
また、侵入防止部材は、当接部分で撓むことによりディスプレイ本体の外形が多少異なっていても対応が可能になる。更に、可撓性の材料からなる部材がディスプレイ本体に回動動作の妨げにならないような圧力でディスプレイ本体の下端に弾性的に当接するようにしているので、ディスプレイ本体の回動動作が重くなることなく回動動作に支障を来たすことがない。
【００３１】
（他の実施の形態）
以上のように、本出願において開示する技術の例示として、実施の形態１を説明した。しかしながら、本開示における技術は、これに限定されず、適宜、変更、置き換え、付加、省略などを行った実施の形態にも適用可能である。
【００３２】
以上のように、本開示における技術の例示として、実施の形態を説明した。そのために、添付図面および詳細な説明を提供した。
【００３３】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００３４】
また、上述の実施の形態は、本開示における技術を例示するためのものであるから、特許請求の範囲またはその均等の範囲において種々の変更、置き換え、付加、省略などを行うことができる。
【産業上の利用可能性】
【００３５】
本開示は、スイーベル機構を備えたディスプレイ装置に適用可能である。具体的には、テレビジョン受信機などに本開示は適用可能である。
【符号の説明】
【００３６】
１００  ディスプレイ装置
１０３  ディスプレイ本体
１０４  下端部
３００  回動部材
３１０  ストッパ
５００  支柱
５１０  回動規制片
５１３  回動規制端
７００  侵入防止部材
７０１  上板部
７０２  側板部
７０３  底板部
７０４  保護片
７０５  結合部
７０６  係合孔
【図１】
2014224842.tif 000003
【図２】
2014224842.tif 000004
【図３】
2014224842.tif 000005
【図４】
2014224842.tif 000006
【図５】
2014224842.tif 000007
【図６】
2014224842.tif 000008
【図７】
2014224842.tif 000009
【図８】
2014224842.tif 000010
【図９】
2014224842.tif 000011
【図１０】
2014224842.tif 000012
【図１１】
2014224842.tif 000013
【図１２】
2014224842.tif 000014
【図１３】
2014224842.tif 000015
【図１４】
2014224842.tif 000016
【図１５】
2014224842.tif 000017
【図１６】
2014224842.tif 000018
【図１７】
2014224842.tif 000019
【図１８】
2014224842.tif 000020
【図１９】
2014224842.tif 000021
【図２０】
2014224842.tif 000022